(57)【要約】【課題】  設定値をリモート監視サーバへ迅速に反映させることができるリモート監視システム、設定装置、サーバ装置および制御方法を提供する。【解決手段】  リモート管理サーバ１と、監視対象の監視データを監視データ伝送用回線４を介してリモート管理サーバ１に送信する監視端末２と、監視端末２の各種設定値を設定する監視端末設定変更装置３とから構成され、監視端末設定変更装置３は、設定値の設定後に、設定値伝送用回線５を介して、設定値をリモート管理サーバ１に送信し、リモート管理サーバ１は、受信した設定値を記憶する。【選択図】      図１
2006350827.tif 000002
【特許請求の範囲】
【請求項１】
第１および第２のネットワークに接続可能であるサーバ装置と、
監視対象の監視データを前記第１のネットワークを介して前記サーバ装置に送信する監視端末と、
前記監視端末に接続し、前記監視端末の設定値を設定する設定装置とから構成されるリモート監視システムであって、
前記設定装置は、前記第２のネットワークを介して前記監視端末に設定する前記設定値を前記サーバ装置に送信する送信手段を具備し、
前記サーバ装置は、前記送信手段によって送信された前記設定値を受信する受信手段と、前記受信手段により受信された前記設定値を記憶する設定値記憶手段とを具備することを特徴とするリモート監視システム。
【請求項２】
第１および第２のネットワークに接続可能であるサーバ装置と、
監視対象の監視データを前記第１のネットワークを介して前記サーバ装置に送信する監視端末と、
前記監視端末に接続し、前記監視端末の設定値を設定する設定装置とから構成されるリモート監視システムであって、
前記サーバ装置は、前記監視端末の設定値を前記第２のネットワークを介して前記設定装置に送信する送信手段と、前記設定値を記憶する設定値記憶手段とを具備し、
前記設定装置は、前記サーバ装置から送信された前記設定値を受信する受信手段と、前記受信手段により受信された前記設定値を前記監視端末に設定する設定手段とを具備することを特徴とするリモート監視システム。
【請求項３】
第１および第２のネットワークに接続可能であるサーバ装置と、
監視対象の監視データを前記第１のネットワークを介して前記サーバ装置に送信する監視端末とから構成されるリモート監視システムであって、
前記サーバ装置は、前記監視端末の設定値を前記監視端末に送信する送信手段と、前記設定値を記憶する第１設定値記憶手段とを具備し、
前記監視端末は、前記送信手段から送信される前記設定値を受信する受信手段と、前記受信手段により受信された前記設定値を記憶する第２設定値記憶手段とを具備することを特徴とするリモート監視システム。
【請求項４】
前記第１のネットワークは、監視データ用の専用回線であり、前記第２のネットワークは、設定値用の専用回線であることを特徴とする請求項１乃至３のいずれかに記載のリモート監視システム。
【請求項５】
ネットワークに接続可能であるサーバ装置と、
監視対象の監視データを前記ネットワークを介して前記サーバ装置に送信する監視端末とから構成されるリモート監視システムであって、
前記サーバ装置は、前記監視端末の設定値を前記監視端末に送信する送信手段と、前記設定値を記憶する第１設定値記憶手段を具備し、
前記監視端末は、前記送信手段から送信される前記設定値を受信する受信手段と、前記受信手段により受信された前記設定値を記憶する第２設定値記憶手段を具備することを特徴とするリモート監視システム。
【請求項６】
前記監視装置は、所定の間隔で前記サーバ装置に定時通報情報を送信する定時通報情報送信手段を備え、
前記サーバ装置は、前記定時通報情報送信手段によって送信された定時通報情報を受信する定時通報情報受信手段と、受信した定時通報情報を前記所定の間隔で受信したかを判別する判別手段と、前記判別手段によって判別された正常情報又は異常情報を記憶する記憶手段と、前記記憶手段に記憶された情報に基づいて、警告情報を表示する表示手段とを備えることを特徴とする請求項１乃至５のいずれかに記載のリモート監視システム。
【請求項７】
監視対象の監視データをネットワークを介してサーバ装置に送信する監視端末に接続し、前記監視装置に対して設定値を設定する設定装置において、
前記監視端末に対して前記設定値を設定する設定手段と、
前記設定値を記憶する設定値記憶手段と、
前記設定値を前記ネットワークを介してサーバ装置に送信する送信手段と
を具備することを特徴とする設定装置。
【請求項８】
監視対象の監視データをネットワークを介してサーバ装置に送信する監視端末に接続し、前記監視装置に対して設定値を設定する設定装置において、
前記サーバ装置から前記ネットワークを介して送信された前記設定値を受信する受信手段と、
前記受信手段により受信された前記設定値を前記監視端末に対して前記設定値を設定する設定手段と
を具備することを特徴とする設定装置。
【請求項９】
設定装置により設定される設定値に基づき監視端末からネットワークを介して送信される監視対象の監視データを受信するサーバ装置において、
前記設定装置から前記ネットワークを介して送信される前記監視端末に設定すべき前記設定値を受信する受信手段と、
前記受信手段により受信された前記設定値を記憶する設定値記憶手段と
を具備することを特徴とするサーバ装置。
【請求項１０】
設定装置により設定される設定値に基づき監視端末からネットワークを介して送信される監視対象の監視データを受信するサーバ装置において、
前記監視端末に設定すべき前記設定値を前記ネットワークを介して前記設定装置に送信する送信手段と、
前記送信手段により送信される前記設定値を記憶する設定値記憶手段と
を具備することを特徴とするサーバ装置。
【請求項１１】
第１および第２のネットワークに接続可能であるサーバ装置と、
監視対象の監視データを前記第１のネットワークを介して前記サーバ装置に送信する監視端末と、
前記監視端末に接続し、前記監視端末の設定値を設定する設定装置とから構成されるリモート監視システムの制御方法であって、
前記設定装置において、前記第２のネットワークを介して前記設定値を前記サーバ装置に送信する送信ステップを行い、
前記サーバ装置において、前記設定装置から送信された前記設定値を受信する受信ステップと、受信した前記設定値を記憶する記憶ステップを行う
ことを特徴とするリモート監視システムの制御方法。
【請求項１２】
第１および第２のネットワークに接続可能であるサーバ装置と、
監視対象の監視データを前記第１のネットワークを介して前記サーバ装置に送信する監視端末と、
前記監視端末に接続し、前記監視端末の設定値を設定する設定装置とから構成されるリモート監視システムの制御方法であって、
前記サーバ装置において前記監視端末の設定値を前記設定装置に送信する送信ステップと、前記設定値を記憶する記憶ステップを行い、
前記設定装置において、前記サーバ装置から送信された前記設定値を受信する受信ステップと、前記受信した前記設定値を前記監視端末に設定する設定ステップを行う
ことを特徴とするリモート監視システムの制御方法。
【請求項１３】
第１および第２のネットワークに接続可能であるサーバ装置と、
監視対象の監視データを前記第１のネットワークを介して前記サーバ装置に送信する監視端末とから構成されるリモート監視システムの制御方法であって、
前記サーバ装置において、前記監視端末の設定値を前記監視端末に送信する送信ステップと、前記設定値を記憶する第１の記憶ステップを行い、
前記監視端末において、前記サーバ装置から送信された前記設定値を受信する受信ステップと、受信した前記設定値を記憶する第２の記憶ステップを行う
ことを特徴とするリモート監視システムの制御方法。
【請求項１４】
ネットワークに接続可能であるサーバ装置と、
監視対象の監視データを前記ネットワークを介して前記サーバ装置に送信する監視端末とから構成されるリモート監視システムの制御方法であって、
前記サーバ装置において、前記監視端末の設定値を前記監視端末に送信する送信ステップと、前記設定値を記憶する第１の記憶ステップを行い、
前記監視端末において、前記サーバ装置から送信された前記設定値を受信する受信ステップと、受信した前記設定値を記憶する第２の記憶ステップを行う
ことを特徴とするリモート監視システムの制御方法。
【発明の詳細な説明】
【技術分野】
【０００１】
本発明は、電力需要家の消費電力等の遠隔監視サービスを行うリモート監視システム、設定装置、サーバ装置および制御方法に関する。
【背景技術】
【０００２】
従来のリモート監視装置では、監視端末の設定値を変更するには、現場へ出向き種々の監視端末専用の監視端末設定値変更装置を使用し実施されていた。
【０００３】
変更後設定値のリモート監視サーバへの反映は監視端末設定値変更装置からの印刷物による手入力、あるいはフロッピー（登録商標）ディスク等によるオフライン的手段によって実施されている（例えば特許文献１参照）。
【０００４】
また、端末設定値はリモート監視サーバでの遠隔監視処理において不可欠な要素であり、リモート監視サーバでの管理主体で運用されている。
【０００５】
さらに、監視端末自体が正常に稼動しているかどうかの健全性を確認する方法として、各監視端末の発するハートビート信号を定期的にリモート監視サーバが受信することで判断しているが、リモート監視サーバ側は監視対象となる監視端末の台数が非常に多い為にネットワークにかかる負荷及び通信費の軽減を目的としてサーバから全ての監視端末に対して積極的に稼動状態チェックを実施することはせず、監視員が行う定期確認の際、定時通報監視警報画面の表示要求があったタイミングのみで正常か異常かを判断し異常な監視端末を監視員に通知している。
【特許文献１】特開２００４−３６２５１０号公報
【発明の開示】
【発明が解決しようとする課題】
【０００６】
上述した技術では、端末設定値変更後のリモート監視サーバへの反映までの時間を要することとなる。また、設定値を自動的にリモート監視サーバへ反映させることができない。
【０００７】
本発明の目的は、従来の問題点に鑑み、設定値をリモート監視サーバへ迅速に反映させることができるリモート監視システム、設定装置、サーバ装置および制御方法を提供することにある。
【課題を解決するための手段】
【０００８】
上記目的を達成するために、本願発明の一態様によれば、第１および第２のネットワークに接続可能であるサーバ装置と、監視対象の監視データを前記第１のネットワークを介して前記サーバ装置に送信する監視端末と、前記監視端末に接続し、前記監視端末の設定値を設定する設定装置とから構成されるリモート監視システムであって、前記設定装置は、前記第２のネットワークを介して前記監視端末に設定する前記設定値を前記サーバ装置に送信する送信手段を具備し、前記サーバ装置は、前記送信手段によって送信された前記設定値を受信する受信手段と、前記受信手段により受信された前記設定値を記憶する設定値記憶手段とを具備することを特徴とするリモート監視システムが提供される。
【０００９】
このため、設定値をサーバ装置へ迅速に反映させることができる。
【発明の効果】
【００１０】
本発明によれば、設定値をサーバ装置へ迅速に反映させることができる。
【発明を実施するための最良の形態】
【００１１】
（第１実施形態）
以下図面を参照して、本発明の第１実施形態について説明する。
【００１２】
図１は、本発明の第１実施形態に係るリモート監視システムを示した構成図である。
【００１３】
当該リモート監視システムは、サーバ装置であるリモート監視サーバ１、監視データ用の専用回線である監視データ伝送用回線（第１のネットワーク）４、設定値の専用回線である設定値伝送用回線（第２のネットワーク）５、監視データ伝送用回線４に接続可能な監視端末２、設定値伝送用回線５に接続可能であり、例えばパーソナルコンピュータ等である監視端末設定値変更装置３から構成されている。
【００１４】
リモート監視サーバ１は、遠隔監視を司る遠隔監視処理部１０１、監視端末設定値を管理・記憶するための監視端末設定値記憶部１０２、監視端末２からの監視データを受信する監視データ受信部１０３、監視端末設定値を受信する設定値受信部１０４及び、リモート監視サーバ１に動作指示あるいはリモート監視サーバ１内のデータ表示を行うキーボード及びモニタ等である対話装置１０５を備えている。
【００１５】
監視端末２は、監視対象である工場やスーパー等からの消費電力量等を入力する監視データ入力部２０４、監視端末設定値を記憶する監視端末設定値記憶部２０１、監視データ入力部２０４からの入力データと監視端末設定値記憶部２０１からの監視端末設定値からリモート監視サーバ１への監視データを生成・編集する監視データ編集部２０３及び、リモート監視サーバ１へ監視データを送信する監視データ送信部２０２を備えている。
【００１６】
監視端末設定値変更装置３は、監視端末設定値入力・表示を行う対話装置３０４、対話装置３０４からの要求によって設定値変更を行う監視端末設定変更部３０１、監視端末設定値を管理・記憶するための、監視端末設定値記憶部３０２及び、本発明で新たに加えられた、監視端末設定値をリモート監視サーバ１へ送信する設定値送信部３０３を備えている。なお、設定値送信部３０３は、監視端末設定値変更装置３がノート型のパーソナルコンピュータであれば、ＰＣカード型の通信端末等となる。
【００１７】
また、監視端末２に接続された監視端末設定値変更装置３の監視端末設定変更部３０１は、対話装置３０４からの要求によって監視端末２の監視端末設定値記憶部２０１の設定値の変更と共に、設定値を監視端末設定値記憶部３０２に記憶する。また、設定値送信部３０３へも通知する。なお、監視端末設定値変更装置３の監視端末設定変更部３０１と監視端末２の監視端末設定値記憶部２０１との接続は、通信回線を介して行うものではなく直接機器同士を有線ケーブル（無線であってもよい）等で接続している。
【００１８】
設定値送信部３０３は、設定値伝送用回線５を介して通知された設定値をリモート監視サーバ１に送信する。
【００１９】
リモート監視サーバ１は、監視端末設定値変更装置３からの端末設定値を設定値受信部１０４で受信し、監視端末設定値記憶部１０２へ記憶する。
【００２０】
次に、本発明の第１実施形態に係るリモート監視システムを適用したリモート監視システムの制御方法について説明する。
【００２１】
先ず、監視端末設定値変更装置３の対話装置３０４により監視端末２の監視端末設定値の変更要求が行われると共に設定すべき新たな監視端末設定値が入力される。対話装置３０４より監視端末設定値の変更要求及び新たな監視端末設定値の入力が行われると、監視端末設定変更部３０１は入力された新たな監視端末設定値を監視端末２の監視端末設定値記憶部２０１に記憶させることで、監視端末２の監視端末設定値の変更を行う。また、監視端末設定変更部３０１は入力された新たな監視端末設定値を監視端末設定値記憶部３０２にも記憶させることで、その監視端末設定値を変更する。
【００２２】
更に、監視端末設定変更部３０１は、入力された新たな監視端末設定値を設定値送信部３０３へ出力する。設定値送信部３０３は、監視端末設定変更部３０１から出力された新たな監視端末設定値を、設定値伝送用回線５を介してリモート監視サーバ１へ送信する。
【００２３】
リモート監視サーバ１は、監視端末設定値を設定値受信部１０４により受信すると、監視端末設定値記憶部１０２へ記憶し、監視端末設定値を変更する。
【００２４】
監視端末２では、監視端末設定記憶部２０１に新たな監視端末設定値が記憶された後は、監視端末設定記憶部２０１から新たな監視端末設定値を読み出し使用する。
【００２５】
図１０は、監視端末設定値である消費電力量設定値を示した模式図であり、図１１は、監視端末設定値である、もれ電流設定値を示した模式図である。
【００２６】
図１０に示すように、例えば、設定項目として目標電力量値を１０ｋｗｈ、第１しきい値を８ｋｗｈ、第２しきい値を６ｋｗｈ、第３しきい値を５ｋｗｈとして設定する。監視データ編集部２０３は、監視データ入力部２０４から入力される監視データを監視データ送信部２０２に出力し、この監視データを監視データ送信部２０２から監視データ伝送用回線４を介してリモート監視サーバ１へ送信を行うよう制御する。
【００２７】
また同時に、監視データ編集部２０３は、監視端末設定値記憶部２０１に設定された消費電力量設定値に基づき、監視データ入力部２０４から入力される監視データが示す消費電力量が設定値に達したか否かを判断している。この判断の結果、監視データが示す消費電力量が目標電力量値および各しきい値に達した場合、監視データ編集部２０３は、監視データ送信部２０２に、監視データ伝送用回線４を介してリモート監視サーバ１へ警告情報の送信を行うよう制御する。
【００２８】
一方、リモート監視サーバ１では、監視データ受信部１０３において監視端末２の監視データ送信部２０２から送信される監視データ及び警告情報を受信する。監視データ受信部１０３にて受信された監視データ及び警告情報は、リモート監視サーバ１の監視データ記憶部（図示せず）に記憶される。
【００２９】
また、リモート監視サーバ１は、監視端末２から受信した監視データや警告情報を、リアルタイム或いは予め設定された一定期間毎に所定の通信手段によって工場等の電力の需要家に連絡する。ここで、所定の通信手段とは、電子メール、ＦＡＸ、電話などである。また、リモート監視サーバ１の運用会社がインターネット等の公衆回線に接続されたコンピュータ上に監視データを公開可能な状態で格納しておき、需要家で、需要家側のコンピュータにより公衆回線を介して運用会社のコンピュータにアクセスし、ブラウザ等の閲覧機能を使用して運用会社のコンピュータに格納されている監視データを閲覧できるようにしても良い。これにより、工場等の電力の需要家は、使用電力量を目標電力量に達する所定の電力量となった場合および目標電力量値に達した場合を把握することができる。
【００３０】
また、図１１に示すように、漏電を警告する設定値であるもれ電流設定値は、例えば第１段しきい値を５０ｍＡ、第２段しきい値を４０ｍＡ、第３段しきい値を３０ｍＡとして設定する。監視データ編集部２０３は、図１１に示すもれ電流設定値に基づき、監視データ入力部２０４から入力される監視データの示す漏れ電流が設定値に達したか否かを判断し、監視データの示すもれ電流が各しきい値に達した場合、監視データ編集部２０３は、監視データ送信部２０２に、監視データ伝送用回線４を介してリモート監視サーバ１へ警告情報の送信を行うよう制御する。これにより、工場等の電力の需要家は、漏電が発生し、設定電流となった場合を把握することができる。
【００３１】
以上より、監視端末２の監視端末設定値記憶部２０１と、監視端末設定値変更装置３の監視端末設定値記憶部３０２及び、リモート監視サーバ１の監視端末設定値記憶部１０２に記憶される設定値をリモート監視サーバへ迅速に反映させることができる。また、設定値を常に等しく整合性のとれたものとすることができる。
【００３２】
（第２実施形態）
図２は、本発明の第２実施形態に係るリモート監視システムを示した構成図である。なお、第１実施形態と同様の箇所は同符号を付し、詳細な説明を上述に譲る。
【００３３】
第２実施形態の第１実施形態との相違点は、第１実施形態の構成に加え、リモート監視サーバ１に監視端末２への設定値変更要求を行う監視端末設定変更部１０６、および監視端末設定値を送信する設定値送信部１０７をさらに設けている点である。また、監視端末設定値変更装置３では、外部伝送からの監視端末設定値を受け取るための設定値受信部３０５を設けている。また、第１実施形態と同様に、リモート監視サーバ１の監視端末設定値記憶部１０２には監視端末２と整合性の取れた監視端末設定値が記憶されている。
【００３４】
監視端末設定変更部１０６は、対話装置１０５から設定値変更要求が行われると共に設定すべき新たな監視端末設定値が入力された場合、この入力された新たな監視端末設定値を設定値送信部１０７へ通知する。設定値送信部１０７は、通知された監視端末設定値を設定値伝送用回線５を介して監視端末設定値変更装置３へ送信する。
【００３５】
監視端末設定値変更装置３は、リモート監視サーバ１からの監視端末設定値を設定値受信部３０５で受信する。設定値受信部３０５では、監視端末設定値を受信すると、対話装置３０４から監視端末設定値の変更要求が行われた際に監視端末設定変更部３０１に出力される情報と同じ情報である設定値変更要求を生成し、この設定値変更要求を受信した監視端末設定値と共に監視端末設定変更部３０１へ送信する。
【００３６】
設定値変更要求および監視端末設定値を受信した監視端末設定変更部３０１は、受信した監視端末設定値を監視端末２の監視端末設定値記憶部２０１に記憶しその監視端末設定値を変更する。また、監視端末設定変更部３０１は、受信した監視端末設定値を監視端末設定値記憶部３０２に記憶することで、その監視端末設定値を変更する。
【００３７】
以上より、監視端末設定値管理元であるリモート監視サーバ１からの監視端末２の設定値変更を実現することで効率的な設定値変更が可能となる。
【００３８】
（第３実施形態）
図３は、本発明の第３実施形態に係るリモート監視システムを示した構成図である。
【００３９】
なお、第１実施形態と同様の箇所は同符号を付し、詳細な説明を上述に譲る。
【００４０】
第３実施形態におけるリモート監視サーバ１は、第２実施形態と同様な構成である。第３実施形態の第１実施形態との相違点は、監視端末２が外部伝送からの監視端末設定値を受信する設定値受信部２０５、受信した設定値を監視端末設定値記憶部２０１に設定する監視端末設定変更部２０７を設けている点である。
【００４１】
リモート監視サーバ１の監視端末設定変更部１０６は、対話装置１０５からの設定値変更要求にしたがって、対話装置１０５から入力される設定すべき新たな監視端末設定値を設定値送信部１０７へ通知する。設定値送信部１０７は、通知された設定値を設定値伝送用回線５を介して監視端末２へ送信する。
【００４２】
監視端末２は、リモート監視サーバ１からの設定値を設定値受信部２０５で受信する。設定値受信部２０５は、設定値変更要求を生成し、この設定値変更要求と共に監視端末設定値を監視端末設定変更部２０７へ送信する。
【００４３】
設定値変更要求および監視端末設定値を受信した監視端末設定変更部２０７は、受信した監視端末設定値を監視端末設定値記憶部２０１に記憶することで監視端末設定値を変更する。
【００４４】
以上より、監視端末設定値管理元であるリモート監視サーバ１から、直接、監視端末２の設定値変更を実現することで現場での監視端末設定値変更装置が不要となる。
【００４５】
（第４実施形態）
図４は、本発明の第４実施形態に係るリモート監視システムを示した構成図である。
【００４６】
なお、第１実施形態と同様の箇所は同符号を付し、詳細な説明を上述に譲る。
【００４７】
第４実施形態の第１実施形態との相違点は、第３実施形態の構成において、監視データ伝送用回線４で設定値伝送用回線も兼ねることで伝送回線本数を削減したものである。
【００４８】
以上より、伝送用の回線数を削減することができ、回線敷設に関する費用、回線使用料の削減が図れる。
【００４９】
（第５実施形態）
図５は、本発明の第５実施形態に係るリモート監視システムのリモート監視サーバの一部を示した構成図である。
【００５０】
第５実施形態では、リモート監視サーバ１の遠隔監視処理部１０１を以下の構成としたことを特徴としている。この構成は、上述した第１実施形態〜第４実施形態等において適用できる。
【００５１】
すなわち、リモート監視サーバ１の遠隔監視処理部１０１は、定時通報監視手段６、警報画面表示手段７、定時通報間隔記憶部８、定時通報履歴記憶部９、定時通報表示リスト記憶部１０、表示器１１および対話操作入力部１２を備える対話装置１０５から構成されている。
【００５２】
第５実施形態では、定時通報監視手段６が監視端末２からの定時通報情報（ハードビート信号）を受信したタイミングで定時通報履歴記憶部９の直近受信日時と定時通報間隔を基に内部的にチェックを行い、異常と判別された場合には定時通報履歴記憶部９に過去の異常履歴として記憶するものである。
【００５３】
定時通報監視手段６は、監視端末２からの所定の間隔で定時通報を受信する毎に、定時通報履歴記憶部９の中の直近受信日時と定時通報間隔記憶部８の中の通報間隔情報との比較チェックを行い、その結果異常と判断した場合には定時通報履歴記憶部９に異常検知日時を記憶する。なお、通報間隔情報は、例えば図１２に示すように、ヘルスチェック時間設定値として、時間間隔１日、通報時刻午前３時等として設定されている。
【００５４】
警報画面表示手段７は、監視員の任意要求によって定時通報監視警報画面の表示要求を対話操作入力部１２より受け付け、全ての監視端末２に対して前記定時通報監視手段６と同様に定時通報履歴記憶部９の中の直近受信日時と定時通報間隔記憶部８の中の通報間隔との比較チェックを行うと共に、定時通報履歴記憶部９の中の異常検知日時の有無をチェックし過去及び現時点で異常のある監視端末を対話装置１０５の表示器に表示する。
【００５５】
図６は、上述した定時通報監視処理のタイムチャートを示した図である。
【００５６】
また、図７は、定時通報間隔記憶部８に記憶されている各監視端末に設定されている通報間隔情報テーブル８ａ、定時通報履歴記憶部９に記憶されている各監視端末に設定されている定時通報履歴情報テーブル９ａ、定時通報表示リスト記憶部１０に記憶されている過去および現在の各監視端末の状態情報テーブル１０ａを示した模式図である。
【００５７】
例えば、１２日に定時通報監視の警報画面を警報画面表示手段７によって表示した場合、通報間隔１日に設定された監視端末Ａは、１２日の時点では１１日、１２日と正常に定時通報を受信しており、監視員が定期確認を行った時点では正常に稼動している。しかし、過去４日、５日の所定の時刻に定時通報を受信していない為、６日に定時通報を受信した時点で内部的には異常と判別し履歴として記憶されている。また、９日、１０日の所定の時刻に定時通報を受信していない為、１１日に定時通報を受信した時点で内部的には異常と判別し履歴として記憶されている。このため、定時通報監視が対話装置１０５の表示器上に異常（警報）として表示される。
【００５８】
また、通報間隔３日に設定された監視端末Ｂは、１１日の所定の時刻に定時通報を受信していないため、１２日時点では異常が継続中と判別する。このため、定時通報監視が対話装置１０５の表示器上に異常（警報）として表示される。
【００５９】
図８および図９は、リモート監視サーバ１の遠隔監視処理部１０１が備える定時通報監視手段の処理を説明するフローチャートである。
【００６０】
図８に示すように、例えば、定時通報監視手段６は、監視端末２より時刻Ｔ１に定時通報を受信したと判別すると（ステップ１）、定時通報監視手段６は、定時通報間隔記憶部８から監視端末２の通報間隔ｔを取得（ステップ２）する。さらに定時通報監視手段６は、定時通報履歴記憶部９から直近の定時通報受信日時Ｔ２を取得する（ステップ３）。続いて、定時通報監視手段６は、通報間隔が正常かどうかを比較チェックする（ステップ４）。
【００６１】
ステップ４で、通報間隔が異常と判別された場合（ステップ４のＮＯ）には、定時通報監視手段６は、定時通報受信日時Ｔ１を定時通報履歴記憶部９の異常検知日時（直近）にＴ２として記憶する（ステップ５）。
【００６２】
さらに、定時通報監視手段６は、定時通報受信日時Ｔ１を定時通報履歴記憶部９の直近受信日時にＴ２として記憶する（ステップ６）。
【００６３】
図９は、１２日の日に定時通報監視の警報を表示器に表示した場合の処理を示すフローチャートである。
【００６４】
警報画面表示手段７は、対話操作入力部１２より時刻Ｔ３に定時通報監視警報画面の表示要求を受信したと判別すると（ステップ７）、定時通報間隔記憶部８から監視端末２の通報間隔ｔを取得（ステップ８）する。そして、警報画面表示手段７は、定時通報履歴記憶部９から直近の定時通報受信日時Ｔ２を取得し（ステップ９）、現在時刻Ｔ３を基点として直近の定時通報受信日時Ｔ２との間の通報間隔が正常かどうかを比較チェックする（ステップ１０）。
【００６５】
ステップ１０で、通報間隔が正常と判別された場合（ステップ１０のＹＥＳ）は、警報画面表示手段７は、定時通報表示リスト記憶部１０の現在状態に「正常」を記憶し（ステップ１１）、通報間隔が異常と判別された場合（ステップ１０のＮＯ）は、定時通報表示リスト記憶部１０の現在状態に「異常」を記憶する（ステップ１２）。
【００６６】
続いて、警報画面表示手段７は、定時通報履歴記憶部９の異常検知日時（直近）を取得し（ステップ１３）、過去に異常検知があったかどうかをチェックする（ステップ１４）。
【００６７】
ステップ１４で、警報画面表示手段７は、過去に異常検知があった場合（ステップ１４のＹＥＳ）は、定時通報表示リスト記憶部１０の過去状態に「異常」を記憶し（ステップ１５）、異常検知がなかったと判別された場合（ステップ１４のＮＯ）は、定時通報表示リスト記憶部１０の過去状態に「正常」を記憶する（ステップ１６）。
【００６８】
上述したステップ８からステップ１６までを全監視端末（監視端末Ａ〜ｎ）について実施し（ステップ１７）、定時通報表示リスト記憶部１０の現在または過去に異常のある監視端末の情報を表示器に、例えば各監視端末の状態情報テーブル１０ａに示すように一覧表示する（ステップ１８）。
【００６９】
以上より、現在の状態と合わせて過去の故障履歴を確認することができ、監視端末の異常兆候を的確に把握することが可能となる。さらに、定期確認を行う前に監視端末の故障状態が復旧していた場合でも過去の故障履歴を確認することができ、監視端末の異常兆候を的確に把握することが可能となる。
【００７０】
なお、上述した実施形態において、監視データ伝送用回線４および設定値伝送用回線５は、インターネットを用いてもよい。
【００７１】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７２】
【図１】本発明の第１実施形態に係るリモート監視システムを示した構成図。
【図２】本発明の第２実施形態に係るリモート監視システムを示した構成図。
【図３】本発明の第３実施形態に係るリモート監視システムを示した構成図。
【図４】本発明の第４実施形態に係るリモート監視システムを示した構成図。
【図５】本発明の第５実施形態に係るリモート監視システムのリモート監視サーバの一部を示した構成図。
【図６】定時通報監視処理のタイムチャートを示した図。
【図７】各監視端末の状態情報テーブルを示した模式図。
【図８】リモート監視サーバの遠隔監視処理部が備える定時通報監視手段の処理を説明するフローチャート。
【図９】リモート監視サーバの遠隔監視処理部が備える定時通報監視手段の処理を説明するフローチャート。
【図１０】監視端末設定値である消費電力量設定値を示した模式図。
【図１１】監視端末設定値である、もれ電流設定値を示した模式図。
【図１２】通報間隔情報であるヘルスチェック時間設定値の設定を示した模式図。
【符号の説明】
【００７３】
２…監視端末、３…監視端末設定値変更装置、４…監視データ伝送用回線、５…設定値伝送用回線、６…定時通報監視手段、７…警報画面表示手段、８…定時通報間隔記憶部、８ａ…通報間隔情報テーブル、９…定時通報履歴記憶部、９ａ…定時通報履歴情報テーブル、１０…定時通報表示リスト記憶部、１０ａ…状態情報テーブル、１１・・・表示器、１２…対話操作入力部、１０１…遠隔監視処理部、１０２…監視端末設定値記憶部、１０３…監視データ受信部、１０４…設定値受信部、１０５…対話装置、１０６…監視端末設定変更部、１０７…設定値送信部、２０１…監視端末設定値記憶部、２０２…監視データ送信部、２０３…監視データ編集部、２０４…監視データ入力部、２０５…設定値受信部、２０７…監視端末設定変更部、３０１…監視端末設定変更部、３０２…監視端末設定値記憶部、３０３…設定値送信部、３０４…対話装置、３０５…設定値受信部。
【図１】
2006350827.tif 000003
【図２】
2006350827.tif 000004
【図３】
2006350827.tif 000005
【図４】
2006350827.tif 000006
【図５】
2006350827.tif 000007
【図６】
2006350827.tif 000008
【図７】
2006350827.tif 000009
【図８】
2006350827.tif 000010
【図９】
2006350827.tif 000011
【図１０】
2006350827.tif 000012
【図１１】
2006350827.tif 000013
【図１２】
2006350827.tif 000014